(57)【要約】【課題】本発明は、画面全体を処理することなく焼付け現象が発生した表示領域のみ処理して輝度ムラを目立たなくすることができる表示装置を提供することを目的とするものである。【解決手段】映像表示装置の本体ＣＰＵ１０には、ＲＡＭ１１に設定された発光輝度に関する設定データに基づいて表示画面の輝度レベルを制御する映像信号制御部１００、焼付け緩和領域を指定する処理領域指定部１０１及び処理時間を規制するタイマ設定部１０２を備えている。処理領域指定部１０１は、焼付け現象が生じた表示領域を囲むように処理領域をリモコン操作に基づいて指定する。指定された処理領域には、映像信号制御部１００が、中心部を輝度レベル１００％として周辺部にいくに従い連続的にレベル低下するように設定された輝度レベルで発光させる。発光時間の上限はタイマ設定部１０２により規制される。【選択図】図２
2007033490.tif 000002
【特許請求の範囲】
【請求項１】
蛍光体の発光により映像を表示する表示体と、前記表示体の表示領域において処理領域を指定する指定手段と、指定された処理領域の中心部の発光輝度を蛍光体の焼付け現象が生じるレベルに設定するとともに中心部から周辺部にいくに従い発光輝度のレベルを連続的に低下させる発光輝度制御手段とを備えていることを特徴とする表示装置。
【請求項２】
前記表示体は、三原色を発光させて表示するカラー表示体であることを特徴とする請求項１に記載の表示装置。
【請求項３】
白、青又は赤の単色画面のいずれか１つを表示する確認画面表示手段を備えていることを特徴とする請求項２に記載の表示装置。
【発明の詳細な説明】
【技術分野】
【０００１】
本発明は、陰極線管（ＣＲＴ）、プラズマディスプレイパネル（ＰＤＰ）、電界放出ディスプレイ（ＦＥＤ）等の蛍光体を発光させて映像を表示する表示装置に関する。
【背景技術】
【０００２】
蛍光体の発光原理を利用して、映像を表示する表示装置としては、陰極線管（ＣＲＴ）を用いたテレビジョン受像機が広く普及しているが、近年、マトリクス状に配設された放電セル内でネオン（Ｎｅ）やキセノン（Ｘｅ）等の希ガスの放電によって紫外線を発生させて蛍光体を励起発光させるプラズマディスプレイパネル（ＰＤＰ）を用いた薄型表示装置が実用化されている。薄型表示装置としては、この他にも、多数の電子放出素子をマトリクス状に配設して各電子放出素子から蛍光体に電子線を照射し、蛍光体を励起発光させる電界放出ディスプレイ（ＦＥＤ）が開発されている。
【０００３】
こうした蛍光体の発光原理を利用する表示装置では、長時間にわたって輝度レベルの高い静止画像を表示していると静止画像を表示する領域の蛍光体の劣化が急速に進み、その領域とそれ以外の領域との間に輝度の差が生じる、いわゆる焼付け現象が発生してしまう問題があった。
【０００４】
そのため、静止画像が継続する場合には、輝度レベルを低下させたり、画像の表示位置を所定時間毎に移動させたりすることで、同じ位置で長時間にわたって輝度レベルが高くならないようにし、蛍光体の焼付け現象が発生しないようにしている。こうした焼付け現象を防止する観点からの対策以外にも、例えば、特許文献１では、予め画面全体に白表示等を行ってバーニング処理することで、焼付け現象が生じても輝度ムラが小さくなるようにした点が記載されている。
【特許文献１】特開平９−１９１４６５号公報
【発明の開示】
【発明が解決しようとする課題】
【０００５】
しかしながら、上述した焼付け防止技術では、時計表示等のように所定位置に継続して表示する場合には、輝度レベルを下げると見にくくなり、また表示位置を移動すると他の画像表示に重なる等問題が生じてしまうため、結局焼付け防止には限界がある。また、特許文献１のように、予めバーニング処理を行うと、画面全体の蛍光体が劣化して暗くなり、表示機能自体が低下してしまう問題がある。
【０００６】
そこで、本発明は、画面全体を処理することなく焼付け現象が発生した表示領域のみ処理して輝度ムラを目立たなくすることができる表示装置を提供することを目的とするものである。
【課題を解決するための手段】
【０００７】
本発明に係る表示装置は、蛍光体の発光により映像を表示する表示体と、前記表示体の表示領域において処理領域を指定する指定手段と、指定された処理領域の中心部の発光輝度を蛍光体の焼付け現象が生じるレベルに設定するとともに中心部から周辺部にいくに従い発光輝度のレベルを連続的に低下させる発光輝度制御手段とを備えていることを特徴とする。さらに、前記表示体は、三原色を発光させて表示するカラー表示体であることを特徴とする。さらに、白、青又は赤の単色画面のいずれか１つを表示する確認画面表示手段を備えていることを特徴とする。
【発明の効果】
【０００８】
上記のような構成を有することで、焼付けが発生した表示領域を囲むように処理領域を指定手段で指定して、指定した処理領域の中心部の発光輝度を蛍光体の焼付けが生じるレベルに設定するとともに中心部から周辺部にいくに従い発光輝度のレベルを連続的に低下させ、焼付けで生じた輝度ムラを目立たなくすることができる。
【０００９】
すなわち、発光輝度のレベルを中心部から周辺部にいくに従い連続的に低下させれば、処理領域の蛍光体を中心部から周辺部に向けてグラデーションがかかるように焼付けが付与される。そのため、焼付けによる輝度ムラが目立つ部分を中心部となるように処理領域を設定すれば、輝度ムラの境界がぼけた状態に緩和されるようになり、輝度ムラが目立たなくなる。
【００１０】
そして、焼付け現象が発生した表示領域のみを局所的に処理するので、それ以外の表示領域に影響を与えることなく輝度ムラを目立たなくすることができる。
【００１１】
また、表示体をカラー表示体とした場合には、白、青又は赤の単色画面のいずれか１つを表示する確認画面表示手段を備えることで、いずれかの色について焼付け現象が生じているか容易に確認することができるようになり、焼付け現象による輝度ムラに対して早期に対応することが可能となる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態の全体ブロック図である。映像表示装置本体１は、全体制御に関する情報処理を行う制御部としての本体ＣＰＵ１０、記憶手段であるＲＡＭ１１及びＲＯＭ１２が設けられており、ＲＯＭ１２に記憶されたプログラムやＲＡＭ１１に記憶された様々な設定データ等を本体ＣＰＵ１０が読み出して制御を行う。
【００１４】
外部からのテレビジョン信号を受信するチューナ１３、映像を表示する表示部としてのモニタ１４、モニタ１４に内蔵された左右のスピーカ１５及び１６を有する。そして、チューナ１３からの出力信号は、映像信号処理回路１７で処理されて映像信号はモニタ１４に送信されて表示制御され、映像信号処理回路１７で抽出された音声信号は音声信号処理回路１８に送信されて左右のスピーカ１５、１６から音声出力される。映像信号処理回路１７及び音声信号処理回路１８は、本体ＣＰＵ１０からの制御信号により映像表示制御及び音声出力制御が行われるようになっている。
【００１５】
モニタ１４は、蛍光体の発光により映像を表示する表示体で、例えば、ＰＤＰが挙げられる。そして、モニタ１４は、ＲＧＢの三原色を用いてカラー表示が可能とされている。
【００１６】
また、視聴者がリモコン３１を操作すると、その操作情報が操作情報入力部３０に受信されて本体ＣＰＵ１０に送信されるようになっている。リモコン３１には、チャンネル選択キーのほか各種機能キー、メニュー選択キー、画面表示されたカーソルを移動させる移動キー等が配設されている。
【００１７】
表示画面の明るさ及びコントラストに関する設定データはＲＡＭ１１に記憶されており、本体ＣＰＵ１０は、必要に応じてＲＡＭ１１から設定データを読み出して映像信号処理回路１７に送信し表示画面の発光輝度が設定される。そして、設定データは明るさの程度に応じて数段階に設定可能となっており、例えば、省エネ設定に基づいて表示画面を暗くする場合にはそれに対応した段階の設定データをリモコン３１により入力してＲＡＭ１１に記憶しておき、本体ＣＰＵ１０がその変更された設定データをＲＡＭ１１から読み出して映像信号処理回路１７に送信し発光輝度が下げられる。
【００１８】
一方、装置本体１には、記録ディスク再生装置２が併設されており、ＣＤやＤＶＤ等の複数種類の記録ディスクを再生する。記録ディスク再生装置２は、再生制御に関する情報処理を行う制御部としての再生用ＣＰＵ２０、プログラム等を記憶するＲＯＭ２１及び設定データ等を記憶するＲＡＭ２２を有している。そして、図示しない回転制御装置により回転するディスク２３からピックアップ２４により記録された情報が読み取られ、ＭＰＥＧデコーダ２５により復号化される。復号化された情報はデジタル情報であるため、ビデオエンコーダ２６によりアナログ化されて映像信号処理回路１７及び音声信号処理回路１８に送信され、装置本体１のモニタ１４で映像表示されるとともに内蔵スピーカ１５及び１６で音声出力される。
【００１９】
また、チューナ１３に記録ディスク再生装置２側のビデオデコーダ２７を接続して、チューナ１３で受信されたアナログ信号をデジタル信号に変換した後ＭＰＥＧエンコーダ２８で圧縮した後ピックアップ２４によりディスク２３に記録処理することもできる。
【００２０】
以上のような映像表示装置では、モニタ１４に蛍光体を発光させて表示するようにしているため、長時間にわたって静止画像を表示すると、その表示領域だけ蛍光体の劣化が周囲よりも進み、輝度ムラが発生する。例えば、時刻表示を画面の隅に表示させておくと、長時間同じ表示状態が継続することから、時刻表示がなくなると、その部分だけ黒ずんだ輝度ムラが発生するようになる。こうした焼付け現象が発生してしまった場合に、輝度ムラが目立たないようにして映像表示への影響を極力抑えることが望ましい。そのため、本実施形態では、以下に説明する焼付け緩和処理を行う。
【００２１】
図２は、焼付け緩和処理を行うためのブロック構成図を示している。本体ＣＰＵ１０には、ＲＡＭ１１に設定された発光輝度に関する設定データに基づいて表示画面の輝度レベルを制御する映像信号制御部１００、焼付け緩和領域を指定する処理領域指定部１０１及び処理時間を規制するタイマ設定部１０２を備えている。
【００２２】
映像信号制御部１００は、処理領域指定部１０１から入力された処理領域の設定位置データに基づいて、処理領域内の輝度レベルを制御する。輝度レベルの制御は、例えば、図３のグラフに示すように設定する。図３のグラフでは縦軸に輝度レベルをとり、横軸に処理領域の中心０からの距離をとっている。処理領域Ｓは円形状とし（グラフの下方に示す）、その中心Ｏにおいて輝度レベルを１００％とする。輝度レベルを１００％に設定すると、中心に位置する蛍光体は短時間で焼付け現象が生じるようになる。そして、中心から離れるに従い連続して輝度レベルが低下するように設定し、周辺部では輝度レベルを５０％にする。このように設定することで、中心から周辺部にいくに従い焼付け現象による黒ずんだ状態が徐々に薄くなって、グラデーションのように焼付けが付与されるようになる。そのため、処理領域内に既に生じていた焼付け現象による輝度ムラは、グラデーションにオーバーラップされて境界がぼけた状態に緩和され、目立たなくなる。なお、処理領域Ｓの中心部から周辺部への輝度レベルの低下は、連続的に変化するように適当な数式（一次式等）を予め設定して中心部からの距離データから輝度レベルを求めるようにすればよい。
【００２３】
また、映像信号制御部１００は、リモコン３１で焼付け緩和処理が選択されると、焼付け現象が生じた領域を確認するための確認画面をモニタ１４に表示するように制御する。確認画面は、画面全体が白色の単色画面に表示される白ラスタ、青色に表示される青ラスタ及び赤色に表示される赤ラスタがあり、視聴者の選択により各単色表示画面が順次表示されるようになっている。
【００２４】
処理領域指定部１０１は、視聴者のリモコン操作に従って表示画面上で焼付け緩和処理を行う領域を指定する。図４（ａ）に示すように、処理領域Ｓは円形状に画面１４ａに表示される。リモコン３１で焼付け緩和処理が選択されると、処理領域指定部１０１は、画面１４ａの中央部に初期設定された基準円を表示する。
【００２５】
そして、基準円の中心位置をリモコン３１のカーソル移動キーＫR、ＫL、ＫU及びＫD（図４（ｂ）参照）を適宜操作して移動させ、焼付け現象が生じた表示領域の中心部に基準円を配置する。カーソル移動キーＫRは基準円を右方向に移動させ、カーソル移動キーＫLは左方向に移動させ、カーソル移動キーＫUは上方向に移動させ、カーソル移動キーＫDは下方向に移動させる。基準円の移動後決定キーＤを操作すると、基準円の中心位置が決定される。次に、決定された基準円の範囲を拡大縮小するために再度カーソル移動キーを操作する。すなわち、基準円を右方向Ｒに拡大したい場合にはカーソル移動キーＫRを操作し、左方向Ｌに拡大したい場合にはカーソル移動キーＫLを操作し、上方向Ｕに拡大したい場合にはカーソル移動キーＫUを操作し、下方向Ｄに拡大したい場合にはカーソル移動キーＫDを操作する。こうして焼付け現象が発生した表示領域を囲むように基準円を拡大して処理領域Ｓを設定したら、再度決定キーＤを操作して処理領域Ｓを確定する。
【００２６】
タイマ設定部１０２は、タイマ回路１９からのクロック信号をカウントして予め設定された時間が経過すると映像信号制御部１００にカウントアップ信号を出力する。映像信号制御部１００が焼付け緩和処理を行っている間に視聴者は緩和処理の状態を確認して輝度ムラが目立たなくなったところでリモコン操作して処理停止を行うが、必要以上に処理が行われると蛍光体が過剰に劣化してしまうため、所定の上限時間（例えば１０分）を設定してその上限時間をタイマ設定部１０２がカウントするとカウントアップ信号を出力して焼付け緩和処理を自動的に停止する。
【００２７】
図５は、焼付け緩和処理に関するフローを示している。リモコン３１で焼付け緩和処理が選択操作されると、まず白ラスタの単色画面が表示される。そして、選択キーを操作すると順次青ラスタ、赤ラスタが表示されて、視聴者はどの単色画面で焼付け現象が発生しているか確認し、焼付け現象が生じている単色画面を選択表示する（Ｓ１００、Ｓ１０１）。単色画面が選択されると、その中心部に基準円が表示されて、上述したように処理領域指定処理が行われる（Ｓ１０２）。すなわち、視聴者は、カーソル移動キーＫR、ＫL、ＫU及びＫDを適宜操作して基準円を焼付け現象が発生した表示領域の中心部に移動させその領域を囲むように基準円を拡大して処理領域を指定する。
【００２８】
処理領域が指定されると、その範囲を規定する位置データが映像信号制御部１００に入力されて処理領域の輝度レベルが設定される（Ｓ１０３）。処理領域の中心部を輝度レベル１００％にして、予め設定された数式に従って中心からの距離データに基づき各位置における輝度レベルを算出し、周辺部にいくに従い連続的に低下するように設定される。輝度レベルが設定されると、そのレベルデータにしたがって処理領域内の蛍光体が発光されて焼付け緩和処理が開始される（Ｓ１０４）。それと同時にタイマ設定部１０２においてタイマカウントが開始される（Ｓ１０５）。その後リモコン３１で停止キーの操作が行われたかチェックされ（Ｓ１０６）、停止キーの操作があった場合には処理を終了する。また、停止キーの操作がない場合にはタイマが所定時間カウントしたかチェックし（Ｓ１０７）、所定時間カウントした場合には処理を終了し、所定時間カウントしていない場合にはステップＳ１０６に戻る。
【００２９】
以上説明したように、表示画面に焼付け現象による輝度ムラが生じた場合に、その表示領域を囲むように処理領域を指定して処理領域内を焼付け緩和処理するので、輝度ムラが目立たなくなるとともに処理領域以外の表示領域の蛍光体には劣化等の影響を及ぼすことがない。
【図面の簡単な説明】
【００３０】
【図１】本発明に係る実施形態に関する全体ブロック図である。
【図２】焼付け緩和処理を行うためのブロック構成図である。
【図３】処理領域の輝度レベルを示すグラフである。
【図４】処理領域を指定する場合の画面表示（図４（ａ））及びリモコンの操作キーの配置（図４（ｂ））を示す説明図である。
【図５】焼付け緩和処理フローである。
【符号の説明】
【００３１】
１    映像表示装置本体
２    記録ディスク再生装置
10    本体ＣＰＵ
11    ＲＡＭ
12    ＲＯＭ
13    チューナ
14    モニタ
15    スピーカ
16    スピーカ
17    映像信号処理回路
18    音声信号処理回路
19    タイマ回路
30    操作情報入力部
31    リモコン
【図１】
2007033490.tif 000003
【図２】
2007033490.tif 000004
【図３】
2007033490.tif 000005
【図４】
2007033490.tif 000006
【図５】
2007033490.tif 000007